(57)【要約】      （修正有）【課題】アナログ放送信号に対する復調性能や同アナログ放送信号に基づく映像表示性能を向上させることの可能なテレビジョンおよび放送信号受信装置を提供する。【解決手段】デジタルチャンネルとアナログチャンネルとのいずれかを選局する構成において、アナログチャンネルを選局した場合には、デジタル放送信号からの映像信号の生成に用いられるバックエンドＩＣ４０およびフロントエンドＩＣ３０については各ＩＣが内蔵するクロック発振回路の発振を停止させることによりその駆動を停止させるとした。その結果、ソフト処理のみによって、アナログチャンネルの選局期間中においてバックエンドＩＣ４０およびフロントエンドＩＣ３０から上記発振によって発せられていたノイズが一切発生しなくなり、アナログ復調回路２０やメインＩＣ５０が同ノイズの影響を受けることが無くなる。【選択図】図２
0003119101.tif 000002
【実用新案登録請求の範囲】
【請求項１】
アナログ放送信号とデジタル放送信号とのいずれも受信可能であるとともに、アナログ放送信号による映像またはデジタル放送信号による映像を映像表示装置にて表示するテレビジョンにおいて、
アナログ放送信号およびデジタル放送信号を受信するとともに所定の選局制御信号に基づいてアナログ放送信号またはデジタル放送信号から中間周波信号を抽出して出力する、一つの筺体に収容されたデジタル・アナログ共用チューナと、
アナログ放送信号から抽出された中間周波信号に対して復調処理を実行して映像信号を生成するアナログ復調回路と、
デジタル放送信号からの映像信号の生成処理を制御するデジタル放送信号用マイクロプロセッサを搭載したバックエンドＩＣとデジタル放送信号用マイクロプロセッサによる制御を受けて動作するフロントエンドＩＣであって、上記デジタル・アナログ共用チューナから出力された中間周波信号に基づいてトランスポートストリーム信号を得る上記フロントエンドＩＣおよび同トランスポートストリーム信号をフロントエンドＩＣから入力して同トランスポートストリーム信号から映像信号を生成する上記バックエンドＩＣと、
上記デジタル・アナログ共用チューナとバックエンドＩＣとフロントエンドＩＣとアナログ復調回路とのそれぞれと接続してこれらに対して所定の制御を実行するとともに、アナログ復調回路またはバックエンドＩＣから映像信号を入力し、当該映像信号を上記映像表示装置への出力形式に変換した上で同映像表示装置に出力するメインマイクロプロセッサと、
メインマイクロプロセッサとバックエンドＩＣとフロントエンドＩＣとデジタル・アナログ共用チューナとを通信可能に接続するＩＩＣバスと、
メインマイクロプロセッサとバックエンドＩＣとを通信可能に接続するシリアルバスとを備え、
上記メインマイクロプロセッサは、
選局対象のチャンネルがデジタル放送信号に対応するチャンネルからアナログ放送信号に対応するチャンネルへと切替わる際に、上記ＩＩＣバスのマスタとなっているデジタル放送信号用マイクロプロセッサに対しシリアルバスを介して、フロントエンドＩＣのリセット端子にＬレベル信号を送信する旨を指示することにより、同Ｌレベル信号を送信させフロントエンドＩＣが内蔵するクロック発振回路の発振を停止させて同フロントエンドＩＣの駆動を停止させ、かつ、バックエンドＩＣのリセット端子に対してＬレベル信号を送信することによりバックエンドＩＣが内蔵するクロック発振回路の発振を停止させて同バックエンドＩＣの駆動を停止させる一方、
選局チャンネルがアナログ放送信号に対応するチャンネルからデジタル放送信号に対応するチャンネルへと切替わる際に、バックエンドＩＣのリセット端子に対してＨレベル信号を送信することによりバックエンドＩＣが内蔵するクロック発振回路の発振を開始させて同バックエンドＩＣを駆動状態とし、かつ、駆動状態としたデジタル放送信号用マイクロプロセッサにフロントエンドＩＣのリセット端子に対してＨレベル信号を送信させることによりフロントエンドＩＣが内蔵するクロック発振回路の発振を開始させて同フロントエンドＩＣを駆動状態とすることを特徴とするテレビジョン。
【請求項２】
アナログ放送信号とデジタル放送信号とのいずれも受信可能である放送信号受信装置において、
アナログ放送信号およびデジタル放送信号を受信するとともに所定の選局制御信号に基づいてアナログ放送信号またはデジタル放送信号から中間周波信号を抽出して出力する、一つの筺体に収容されたデジタル・アナログ共用チューナと、
アナログ放送信号から抽出された中間周波信号に対して復調処理を実行して映像信号を生成するアナログ復調部と、
デジタル放送信号から抽出された中間周波信号に対して復調処理を実行して映像信号を生成するデジタル復調部と、
上記デジタル・アナログ共用チューナとアナログ復調部とデジタル復調部とのそれぞれと接続してこれらに対して所定の制御を実行する第１のマイコンとを備え、
上記第１のマイコンは、選局対象のチャンネルがデジタル放送信号に対応するチャンネルからアナログ放送信号に対応するチャンネルへと切替わる際に、上記デジタル復調部の駆動を停止させることを特徴とする放送信号受信装置。
【請求項３】
上記デジタル復調部は、デジタル放送信号からの映像信号の生成処理を制御する第２のマイコンを搭載したバックエンドＩＣと、第２のマイコンによる制御を受けて動作するフロントエンドＩＣとからなり、フロントエンドＩＣは上記デジタル・アナログ共用チューナから出力された中間周波信号に基づいてトランスポートストリーム信号を得るとともに同トランスポートストリーム信号をバックエンドＩＣに出力し、バックエンドＩＣは同トランスポートストリーム信号から映像信号を生成することを特徴とする請求項２に記載の放送信号受信装置。
【請求項４】
上記第１のマイコンは、上記第２のマイコンにフロントエンドＩＣのリセット端子に対して駆動停止指示信号を送信させることによりフロントエンドＩＣが内蔵するクロック発振回路の発振を停止させて同フロントエンドＩＣの駆動を停止させ、かつ、バックエンドＩＣのリセット端子に対して駆動停止指示信号を送信することによりバックエンドＩＣが内蔵するクロック発振回路の発振を停止させて同バックエンドＩＣの駆動を停止させることを特徴とする請求項３に記載の放送信号受信装置。
【請求項５】
上記第１のマイコンとバックエンドＩＣとフロントエンドＩＣとデジタル・アナログ共用チューナとはＩＩＣバスによって通信可能に接続されるとともに、第１のマイコンとバックエンドＩＣとはシリアルバスによって通信可能に接続され、第１のマイコンは、デジタル放送信号からの映像信号の生成処理に際してＩＩＣバスを介した通信のマスタとなっている上記第２のマイコンに対して、上記シリアルバスを介することにより、フロントエンドＩＣに上記駆動停止指示信号を送信することを指示する指示信号を送ることを特徴とする請求項４に記載の放送信号受信装置。
【考案の詳細な説明】
【技術分野】
【０００１】
本考案は、アナログ放送信号とデジタル放送信号とのいずれも受信可能であるテレビジョンおよび放送信号受信装置に関する。
【背景技術】
【０００２】
従来より、アナログ放送信号とデジタル放送信号とのいずれも受信可能としたテレビジョン等においては、デジタル放送信号を受信して復調等するために備えたハードウェアから輻射されるノイズの存在が問題となっていた。つまり、アナログ放送信号に対応するチャンネルを選局している間はデジタル放送信号を受信して復調等するための上記ハードウェアは不要であるが、かかるハードウェアから発せられるノイズがアナログ放送信号用の復調回路等に影響を与え、同アナログ放送信号に基づく映像表示性能を低下させていた。
【０００３】
ここで、従来技術として、ノイズに影響を受けやすいアナログ信号処理系の回路及びアナログ信号を伝送するバスを電磁的に遮蔽したチューナが知られている（例えば、特許文献１参照。）。
その他、関連する文献として特許文献２，３が知られている。
【特許文献１】特開２００３‐２０４２７４号公報
【特許文献２】特開平９‐６４７７０号公報
【特許文献３】特表２００３‐５０５９４３号公報
【考案の開示】
【考案が解決しようとする課題】
【０００４】
上記文献１のように、ノイズに影響を受けやすいアナログ信号処理系の回路及びアナログ信号を伝送するバスをシールドする構成では、基板上の電子部品のレイアウトの変更を要して基板組立の手間を増大させ、また、基板の小型化が困難となる。さらに、シールド部材を要することによる製品のコスト上昇という問題があった。
【０００５】
本考案は、上記課題に鑑みてなされたもので、部品点数の増加や、基板上スペースの浪費や増大を伴うことなく、デジタル放送信号処理系のハードウェアからのノイズによるアナログ信号処理系の回路への影響を廃止し、その結果、アナログ放送信号に対する復調性能や同アナログ放送信号に基づく映像表示性能を向上させることの可能なテレビジョンおよび放送信号受信装置を提供することを目的とする。
【課題を解決するための手段】
【０００６】
上記目的を達成するため、請求項２の考案は、アナログ放送信号とデジタル放送信号とのいずれも受信可能である放送信号受信装置において、アナログ放送信号およびデジタル放送信号を受信するとともに所定の選局制御信号に基づいてアナログ放送信号またはデジタル放送信号から中間周波信号を抽出して出力する、一つの筺体に収容されたデジタル・アナログ共用チューナと、アナログ放送信号から抽出された中間周波信号に対して復調処理を実行して映像信号を生成するアナログ復調部と、デジタル放送信号から抽出された中間周波信号に対して復調処理を実行して映像信号を生成するデジタル復調部と、上記デジタル・アナログ共用チューナとアナログ復調部とデジタル復調部とのそれぞれと接続してこれらに対して所定の制御を実行する第１のマイコンとを備え、上記第１のマイコンは、選局対象のチャンネルがデジタル放送信号に対応するチャンネルからアナログ放送信号に対応するチャンネルへと切替わる際に、上記デジタル復調部の駆動を停止させる構成としてある。
【０００７】
上記構成においては、デジタル・アナログ共用チューナは、一つの筺体に収容されており、アナログ放送信号およびデジタル放送信号を受信するとともに所定の選局制御信号に基づいてアナログ放送信号またはデジタル放送信号から中間周波信号を抽出して出力することが可能である。アナログ放送信号から中間周波信号が抽出された場合には、アナログ復調部が、その中間周波信号に対して復調処理を実行して映像信号を生成する。一方、デジタル放送信号から中間周波信号が抽出された場合には、デジタル復調部が、その中間周波信号に対して復調処理を実行して映像信号を生成する。ここで、第１のマイコンは、デジタル・アナログ共用チューナとアナログ復調部とデジタル復調部とのそれぞれと接続してこれらに対して所定の制御を実行するが、特に、選局対象のチャンネルがデジタル放送信号に対応するチャンネルからアナログ放送信号に対応するチャンネルへと切替わることを認識したら、上記デジタル復調部の駆動を停止させる処理を実行する。つまり、アナログ放送信号にかかるチャンネルを選択して受信している最中には、デジタル復調部の駆動が停止されるため、同デジタル復調部からはノイズは発生しない。
【０００８】
請求項３は、請求項２に記載の放送信号受信装置において、上記デジタル復調部は、デジタル放送信号からの映像信号の生成処理を制御する第２のマイコンを搭載したバックエンドＩＣと、第２のマイコンによる制御を受けて動作するフロントエンドＩＣとからなる。具体的には、フロントエンドＩＣは、上記デジタル・アナログ共用チューナから出力された中間周波信号に基づいてトランスポートストリーム信号を得るとともに、同トランスポートストリーム信号をバックエンドＩＣに出力する。バックエンドＩＣは同トランスポートストリーム信号から映像信号を生成する。
【０００９】
このように、デジタル放送信号からの映像信号の生成処理を統括するマイコンを上記第１のマイコンとは別とした。そのため、アナログ放送にかかるチャンネルを選局している場合には、アナログ放送信号からの映像信号の生成処理については上記第１のマイコンによって制御し、デジタル放送信号からの映像信号の生成処理を統括する第２のマイコンを搭載したＩＣや、第２のマイコンによって制御されるＩＣについては何ら問題なく駆動停止とすることができる。
【００１０】
請求項４は、請求項３に記載の放送信号受信装置において、第１のマイコンは、第２のマイコンにフロントエンドＩＣのリセット端子に対して駆動停止指示信号を送信させることにより、フロントエンドＩＣが内蔵するクロック発振回路の発振を停止させて同フロントエンドＩＣの駆動を停止させる。さらに、第１のマイコンは、フロントエンドＩＣの駆動を停止させた後、バックエンドＩＣのリセット端子に対して駆動停止指示信号を送信することにより、バックエンドＩＣが内蔵するクロック発振回路の発振を停止させて同バックエンドＩＣの駆動を停止させる。
【００１１】
つまりここでは、デジタル復調部の駆動を停止させるとは、フロントエンドＩＣとバックエンドＩＣとのクロック発振回路の発振を停止させることを意味する。その結果、かかる発振によって各ＩＣから発せられていたノイズが無くなる。
【００１２】
請求項５は、請求項４に記載の放送信号受信装置において、第１のマイコンとバックエンドＩＣとフロントエンドＩＣとデジタル・アナログ共用チューナとはＩＩＣバスによって通信可能に接続されるとともに、第１のマイコンとバックエンドＩＣとはシリアルバスによって通信可能に接続されるとしている。そして、第１のマイコンは、デジタル放送信号からの映像信号の生成処理に際してＩＩＣバスを介した通信のマスタとなっている第２のマイコンに対して、シリアルバスを介することにより、フロントエンドＩＣに上記駆動停止指示信号を送信することを指示する指示信号を送る。
【００１３】
上述したように、第２のマイコンはデジタル放送信号からの映像信号の生成処理を制御するものであるため、同生成処理時においてＩＩＣバスを介した通信のマスタとなっている。この場合、第１のマイコンはＩＩＣバスを介する通信においてはスレーブであるため、選局対象のチャンネルがデジタル放送信号に対応するチャンネルからアナログ放送信号に対応するチャンネルへと切替わる場合には、上記ＩＩＣバスとは別のシリアルバスを介して、上記指示信号を送信する。その結果、第２のマイコンは、当該指示信号に応じて、フロントエンドＩＣに駆動停止指示信号を送信するようになる。
【００１４】
上述した各構成を踏まえて、請求項１の考案は、アナログ放送信号とデジタル放送信号とのいずれも受信可能であるとともに、アナログ放送信号による映像またはデジタル放送信号による映像を映像表示装置にて表示するテレビジョンにおいて、アナログ放送信号およびデジタル放送信号を受信するとともに所定の選局制御信号に基づいてアナログ放送信号またはデジタル放送信号から中間周波信号を抽出して出力する、一つの筺体に収容されたデジタル・アナログ共用チューナと、アナログ放送信号から抽出された中間周波信号に対して復調処理を実行して映像信号を生成するアナログ復調回路と、デジタル放送信号からの映像信号の生成処理を制御するデジタル放送信号用マイクロプロセッサを搭載したバックエンドＩＣとデジタル放送信号用マイクロプロセッサによる制御を受けて動作するフロントエンドＩＣであって、上記デジタル・アナログ共用チューナから出力された中間周波信号に基づいてトランスポートストリーム信号を得る上記フロントエンドＩＣおよび同トランスポートストリーム信号をフロントエンドＩＣから入力して同トランスポートストリーム信号から映像信号を生成する上記バックエンドＩＣと、上記デジタル・アナログ共用チューナとバックエンドＩＣとフロントエンドＩＣとアナログ復調回路とのそれぞれと接続してこれらに対して所定の制御を実行するとともに、アナログ復調回路またはバックエンドＩＣから映像信号を入力し、当該映像信号を上記映像表示装置への出力形式に変換した上で同映像表示装置に出力するメインマイクロプロセッサと、メインマイクロプロセッサとバックエンドＩＣとフロントエンドＩＣとデジタル・アナログ共用チューナとを通信可能に接続するＩＩＣバスと、メインマイクロプロセッサとバックエンドＩＣとを通信可能に接続するシリアルバスとを備え、上記メインマイクロプロセッサは、選局対象のチャンネルがデジタル放送信号に対応するチャンネルからアナログ放送信号に対応するチャンネルへと切替わる際に、上記ＩＩＣバスのマスタとなっているデジタル放送信号用マイクロプロセッサに対しシリアルバスを介して、フロントエンドＩＣのリセット端子にＬレベル信号を送信する旨を指示することにより、同Ｌレベル信号を送信させフロントエンドＩＣが内蔵するクロック発振回路の発振を停止させて同フロントエンドＩＣの駆動を停止させ、かつ、バックエンドＩＣのリセット端子に対してＬレベル信号を送信することによりバックエンドＩＣが内蔵するクロック発振回路の発振を停止させて同バックエンドＩＣの駆動を停止させる一方、選局チャンネルがアナログ放送信号に対応するチャンネルからデジタル放送信号に対応するチャンネルへと切替わる際に、バックエンドＩＣのリセット端子に対してＨレベル信号を送信することによりバックエンドＩＣが内蔵するクロック発振回路の発振を開始させて同バックエンドＩＣを駆動状態とし、かつ、駆動状態としたデジタル放送信号用マイクロプロセッサにフロントエンドＩＣのリセット端子に対してＨレベル信号を送信させることによりフロントエンドＩＣが内蔵するクロック発振回路の発振を開始させて同フロントエンドＩＣを駆動状態とする構成としてある。
【００１５】
つまり、テレビジョンというより具体的な製品においても本考案にかかる技術的思想を体現することができ、このテレビジョンにおいても請求項２〜請求項５にて奏するものと同様の作用、効果を奏する。
【考案の効果】
【００１６】
以上説明したように本考案によれば、選局対象のチャンネルがデジタル放送信号に対応するチャンネルからアナログ放送信号に対応するチャンネルへと切替わる際に、デジタル復調部の駆動を停止させるため、アナログ放送に対応するチャンネルを選局している最中には同デジタル復調部からノイズは発生しない。その結果、アナログ復調部（アナログ復調回路）や第１のマイコン（メインマイクロプロセッサ）に対して上記ノイズが及ぶことが無くなり、アナログ放送信号に対する復調性能や同アナログ放送信号に基づく映像表示性能が向上する。
【００１７】
また、ノイズの影響を受けやすい部品であるアナログ復調部等やノイズ源としてのデジタル復調部をシールド部材で遮蔽したり、ノイズの影響を受けやすい部品とノイズ源とを物理的に引き離したりする必要が無いため、製造にかかる部品点数の増加を抑えて製造コストを低減することができ、かつ、一層の基板の小型化を進めることができる。
【考案を実施するための最良の形態】
【００１８】
（１）テレビジョンの概略構成
図１は、本考案にかかるテレビジョン１００の概略構成をブロック図によって示している。
テレビジョン１００は、概略、デジタル・アナログ共用チューナ（以下、単にチューナ）１０と、アナログ復調回路２０と、フロントエンドＩＣ３０と、バックエンドＩＣ４０と、メインＩＣ５０と、ディスプレイ６０と、その他図示しないオーディオ処理系回路やスピーカ等からなる。上記構成においてテレビジョン１００は、アナログ放送信号の受信に基づく映像・音声出力処理とデジタル放送信号の受信に基づく映像・音声出力処理との両方を実行可能としている。
【００１９】
テレビジョン１００は、システムを制御するためのマイコンを２つ備えており、１つはＭＰＵ１（メインマイクロプロセッサ）としてメインＩＣ５０に搭載されており、もう一方はＭＰＵ２（デジタル放送信号用マイクロプロセッサ）としてバックエンドＩＣ４０に搭載されている。バックエンドＩＣ４０とフロントエンドＩＣ３０とチューナ１０とメインＩＣ５０とは、ＩＩＣバス７０によって通信可能に接続されており、テレビ放送信号の受信・復調処理においては、ＭＰＵ１とＭＰＵ２との一方がＩＩＣ７０における通信のマスタとなって制御を行う。また、バックエンドＩＣ４０とメインＩＣ５０とは、互いにシリアルバス８０によって通信可能に接続されている。
【００２０】
チューナ１０は、いわゆるシンセサイザ方式のテレビジョン受信システムの構成とされ、本実施形態では一つの筺体に収まっている。同チューナ１０には、選局制御信号としてＰＬＬデータ、すなわち、ＰＬＬループにおける可変分周回路の分周比のデータが与えられる。チューナ１０は、ＭＰＵ１またはＭＰＵ２から選局制御信号としてのＰＬＬデータを受けて、アンテナ１０ａを介して受信した各チャンネルに対応するデジタル放送信号、アナログ放送信号のいずれかから所望の周波数帯域の中間周波信号（ＩＦ）を抽出することにより、複数のチャンネルの中から一つのチャンネルを選択する。ＭＰＵ１、ＭＰＵ２は、ユーザが外部機器としてのリモコン送信機などによって送信したチャンネル切替指示信号を図示しないリモコンＩ／Ｆを介して受信することによって、そのとき選局対象とすべきチャンネルを認識し、選局対象とされたチャンネルのテレビジョン放送信号を受信するための選局制御信号をチューナ１０に送信する。
【００２１】
チューナ１０から出力される中間周波信号は、デジタル復調部（フロントエンドＩＣ３０およびバックエンドＩＣ４０を指す。）とアナログ復調回路２０とのいずれかに供給される。つまり、デジタル放送信号から抽出された中間周波信号は、デジタル復調部に供給され、アナログ放送信号から抽出された中間周波信号は、アナログ復調回路２０に供給される。
デジタル復調部における信号処理について説明する。当該信号処理は、バックエンドＩＣ４０に搭載されたＭＰＵ２の制御によって実現される。
【００２２】
フロントエンドＩＣ３０は、デジタルＩ／Ｆと復調回路とを備える。チューナ１０から中間周波信号が入力されるデジタルＩ／ＦはＡ／Ｄコンバータを有しており、デジタルＩ／Ｆから信号の供給を受ける復調回路は、チャンネルイコライザ、エラー訂正デコード部等を有している。すなわち、デジタルＩ／Ｆと復調回路とは、チューナ１０から入力される中間周波信号をデジタル信号に変換するとともに、ＭＰＵ２からの制御情報に基づいてデジタル復調した信号に対していわゆるゴーストキャンセルを行う。さらに、デジタルＩ／Ｆと復調回路は、伝送路上で発生したビット誤りを訂正し、トランスポートストリーム（ＴＳ）信号を得る。
【００２３】
ＴＳ信号は、バックエンドＩＣ４０に出力される。バックエンドＩＣ４０は、デスクランブル部とデマルチプレックス部とＭＰＥＧデコーダとを備えている。ＴＳ信号は、通常スクランブルがかかっているため、このままでは適正に映像・音声を再生することはできない。そこで、デスクランブル部がＴＳ信号に対してデ・スクランブル処理を行うことにより、ＴＳ信号を再生可能なデータ配列に復元する。デ・スクランブル処理が行われたＴＳ信号は、映像信号や音声信号や文字情報等が多重化された形式となっており、デマルチプレックスに供給される。デマルチプレックス部では入力されたデータに対してデ・マルチプレックス処理を行う。すなわち、ここで多重化が解除される。なお、デスクランブルとデマルチプレックス部とはそれぞれの処理を行う際にワークエリアとして図示しないＤＲＡＭを利用する。
【００２４】
デ・マルチプレックス処理にて多重化が解除されると、映像信号および音声信号が所定の方式により圧縮されたＭＰＥＧデータが得られる。ＭＰＥＧデータはＭＰＥＧデコーダに供給され、ＭＰＥＧデコーダにて圧縮解凍処理、つまりＭＰＥＧデコード処理が行われる。このＭＰＥＧデコード処理により、デジタル映像信号とデジタル音声信号とが生成される。デジタル映像信号は、メインＩＣ５０に対して出力される。一方、デジタル音声信号は、所定のＤ／Ａ変換部によってアナログ音声信号に変換されるとともに、このアナログ音声信号が図示しないスピーカに出力される。
【００２５】
次に、アナログ復調回路２０における信号処理について説明する。
アナログ復調回路２０は、アナログＩ／Ｆと、復調部と、ＮＴＳＣデコーダとを備える。アナログＩ／Ｆと復調部は、チューナ１０から入力される中間周波信号を増幅させるＡＧＣ回路を備えている。ＡＧＣ回路における中間周波信号の増幅率はＡＧＣ電圧により規定されており、同ＡＧＣ電圧は同ＡＧＣ回路にて増幅された中間周波信号の振幅レベルに応じて変動する。すなわち、ＡＧＣ回路はＡＧＣ電圧をフィードバック信号として中間周波信号を増幅させている。
【００２６】
復調部は復調した中間周波信号を分離することにより、ＮＴＳＣ形式のアナログ映像信号とアナログ音声信号とを生成する。同生成されたアナログ映像信号はＮＴＳＣデコーダに入力され、ＮＴＳＣデコーダにてデジタル映像信号に変換される。ＮＴＳＣ形式はアナログテレビジョン信号の標準形式であり、色を再現するための信号と１５．７５ｋＨｚの水平同期信号と６０Ｈｚの垂直同期信号等が含まれる。復調部には水平同期信号と垂直同期信号とを抽出するための同期分離回路が備えられており、同期分離回路が抽出した水平同期信号と垂直同期信号に基づいて、ＮＴＳＣデコーダが同期の取れたデジタル映像信号を生成する。ＮＴＳＣデコーダにて生成されたデジタル映像信号は、メインＩＣ５０に対して出力される。一方、復調部にて分離されたアナログ音声信号は、不図示のスピーカに供給される。
【００２７】
このようにして、デジタル復調部またはアナログ復調回路２０のいずれかからデジタル映像信号が出力されると、メインＩＣ５０はこの映像信号に対して所定の信号処理をした上で、ディスプレイ６０に出力する。ディスプレイ６０としては、ＣＲＴや液晶パネルやプラズマディスプレイパネルなど種々の映像表示装置を採用可能であるが、ここでは液晶パネルを例に説明する。
【００２８】
メインＩＣ５０は、画素数変換回路と、画質調整回路と、出力処理回路とを有している。画素数変換回路はデジタル映像信号を入力し、この映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、ＯＳＤ信号、ブランキング信号等を付加して液晶パネルに出力し、画像を表示させる。
【００２９】
（２）デジタル復調部のオン・オフ切替処理
上記構成では、選局対象となっているチャンネルがアナログ放送に対応したチャンネル（アナログチャンネル）かデジタル放送に対応したチャンネル（デジタルチャンネル）かによって、アナログ復調回路２０における信号処理とデジタル復調部における信号処理のいずれか一方を行うことになる。この構成においては、アナログチャンネルを選局している際に、信号処理に用いないデジタル復調部から発せられるノイズが上記アナログ復調回路２０などに影響を及ぼし、復調性能やディスプレイ６０における映像表示性能を低下させてしまうという問題があった。
そこで本実施形態では、以下に示すように、アナログチャンネルを選局している際にはデジタル復調部の駆動を禁止している。
【００３０】
図２は、テレビジョン１００において実行する、デジタル復調部のオン・オフ切替処理の内容をフローチャートにより示している。当該処理は、テレビジョン１００の主電源が入力状態でありテレビジョン１００が駆動状態となってることを前提に、主にメインＩＣ５０のＭＰＵ１によって実行される。
まず、ステップＳ（以下、ステップの記載を省略）２１０においては、ＭＰＵ１は、外部からチャンネルの切替指示があるか否か判断する。ＭＰＵ１は、チャンネルの切替指示があったか否かを、上記チャンネル切替指示信号を受信したか否かによって判断できる。
【００３１】
チャンネルの切替指示が無い場合は、同フローを終了する。ただし同フローは、テレビジョン１００の駆動中においては繰り返し実行するものとする。
チャンネル切替指示があった場合、ＭＰＵ１は、その切替指示がデジタルチャンネルからアナログチャンネルへの切替を指示するものであるか否か判断する（Ｓ２２０）。メインＩＣ５０に搭載されたＲＯＭなどの所定の記憶装置には、予め、チャンネルの番号と、アナログチャンネルかデジタルチャンネルかを区別する情報との対応関係を各チャンネル番号について規定した情報テーブルが格納されており、ＭＰＵ１は、切替前後のチャンネル番号と当該情報テーブルとを参照して上記判断を行う。
【００３２】
切替指示がデジタルチャンネルからアナログチャンネルへの切替を指示するものである場合、Ｓ２３０において、バックエンドＩＣ４０およびフロントエンドＩＣ３０の駆動停止処理を実行する。かかる駆動停止処理については後に詳述する。
一方、Ｓ２２０にて切替指示がデジタルチャンネルからアナログチャンネルへの切替を指示するものでは無いと判断した場合、ＭＰＵ１は、切替指示がアナログチャンネルからデジタルチャンネルへの切替を指示するものであるか否か判断する（Ｓ２５０）。切替指示がアナログチャンネルからデジタルチャンネルからへの切替を指示するものである場合、Ｓ２６０において、バックエンドＩＣ４０およびフロントエンドＩＣ３０の駆動再開処理を実行する。かかる駆動再開処理については後に詳述する。
【００３３】
一方、Ｓ２５０にて切替指示がアナログチャンネルからデジタルチャンネルへの切替を指示するものでは無いと判断した場合、同フローを終了する。この場合、ユーザは、あるアナログチャンネルから別のアナログチャンネルへ、または、あるデジタルチャンネルから別のデジタルチャンネルへと切替指示をしたことになる。
【００３４】
図３は、Ｓ２３０における駆動停止処理の詳細をフローチャートにより示している。
同図の処理を実行する場面においては、それまではあるデジタルチャンネルが選局されており、ＭＰＵ２の統括によってデジタル復調部が上述したようなデジタル放送信号に対する復調処理を実行していた状況にある。すなわち、ＩＩＣバス７０を介しての通信においてはバックエンドＩＣ４０（ＭＰＵ２）がマスタとなり、メインＩＣ５０（ＭＰＵ１）はスレーブとなっている。そこで、ＭＰＵ１は、ＭＰＵ２に対し、デジタル復調部の駆動を停止すべき旨の指令（デジタル復調部停止命令）をシリアルバス８０を介して送信する（Ｓ３１０）。
【００３５】
上記デジタル復調部停止命令をシリアルバス８０を介して受信したＭＰＵ２は、フロントエンドＩＣ３０の駆動を停止させる処理を実行する。具体的には、ＭＰＵ２は、フロントエンドＩＣ３０が備えるリセット端子３１に対して、Ｌ（ロー）レベル信号（駆動停止指示信号）を送信する（Ｓ３２０）。
フロントエンドＩＣ３０においては、リセット端子３１から入力する信号がＬかＨ（ハイ）かによって、駆動のオン・オフを分岐する。本実施形態では、フロントエンドＩＣ３０は、リセット端子３１からＬレベル信号を入力した場合に、内蔵するクロック発振回路の発振を停止させる。その結果、同発振回路からのクロックパルスが止まり、同フロントエンドＩＣ３０の駆動が停止される（Ｓ３３０）。
【００３６】
ＭＰＵ２にＬレベル信号を送信させてフロントエンドＩＣ３０の駆動を停止させた後、ＭＰＵ１は、バックエンドＩＣ４０の駆動を停止させる処理を実行する。この場合も、ＭＰＵ１は、バックエンドＩＣ４０が備えるリセット端子４１に対して、Ｌレベル信号を送信する（Ｓ３４０）。
バックエンドＩＣ４０もフロントエンドＩＣ３０と同様に、リセット端子４１から入力する信号がＬかＨかによって、駆動のオン・オフを分岐する。バックエンドＩＣ４０は、リセット端子４１からＬレベル信号を入力した場合に、内蔵するクロック発振回路の発振を停止させる。その結果、ＭＰＵ２を始めとしてバックエンドＩＣ４０の駆動が停止される（Ｓ３５０）。この場合、ＭＰＵ２は初期化された状態となる。
【００３７】
ただし、フロントエンドＩＣ３０およびバックエンドＩＣ４０に対しての図示しない電源回路からの電源電圧の供給は止められてはいない。つまり、本実施形態における各ＩＣの駆動停止とは、電源回路からの電源電圧の供給を維持しつつ、上記発振回路の発振を停止させることを意味する。
【００３８】
このように、デジタル復調部の駆動停止処理を実行したら、ＭＰＵ１はＩＩＣバス７０のマスタとなり（Ｓ２４０）、以後、アナログ放送信号の受信処理を制御する。つまりＭＰＵ１は、上記チャンネル切替指示信号によって指示されたアナログチャンネルに対応する所定の選局制御信号をチューナ１０に送信し、チューナ１０において同アナログチャンネルに対応したアナログ放送信号の受信、同放送信号からの中間周波信号の抽出を実行させる。
【００３９】
図４は、Ｓ２６０における駆動再開処理の詳細をフローチャートにより示している。
同図の処理を実行する場面においては、それまではあるアナログチャンネルが選局されており、ＭＰＵ１がチューナ１０を制御し、かつ、アナログ復調回路２０によって上述したようなアナログ放送信号に対する復調処理が実行されていた状況にある。その一方、デジタル復調部は、その駆動が停止された状態にある。
そこで、ＭＰＵ１は、まずバックエンドＩＣ４０の駆動を再開させる処理を実行する。つまり、ＭＰＵ１は、バックエンドＩＣ４０のリセット端子４１に対して、Ｈレベル信号を送信する（Ｓ４１０）。
【００４０】
バックエンドＩＣ４０においては、リセット端子４１からＨレベル信号を入力した場合にクロック発振回路の発振を継続または再開させる。その結果、同発振回路からクロックパルスが出力され、ＭＰＵ２を始めバックエンドＩＣ４０の駆動が再開される（Ｓ４２０）。
【００４１】
次に、上記のように駆動状態となったＭＰＵ２は、フロントエンドＩＣ３０の駆動を再開させる処理を実行する。つまりＭＰＵ２は、フロントエンドＩＣ３０のリセット端子３１に対して、Ｈレベル信号を送信する（Ｓ４３０）。フロントエンドＩＣ３０においても、リセット端子３１からＨレベル信号を入力した場合にクロック発振回路の発振を継続または再開させる。その結果、同発振回路からクロックパルスが出力され、フロントエンドＩＣ３０の駆動が再開される（Ｓ４４０）。
このように、デジタル復調部の駆動再開処理を完了したら、ＭＰＵ１はＩＩＣバス７０のマスタをＭＰＵ２に切替える（Ｓ２７０）。以後、ＭＰＵ２がデジタル放送信号の受信・復調処理を制御することになる。
【００４２】
（３）まとめ
以上説明したように本考案によれば、デジタルチャンネルとアナログチャンネルとのいずれかを選局する構成において、アナログチャンネルを選局した場合には、デジタル放送信号からの映像信号の生成に用いられるバックエンドＩＣ４０およびフロントエンドＩＣ３０については、各ＩＣが内蔵するクロック発振回路の発振を停止させることによりその駆動を停止させるとした。その結果、ソフト処理のみによって、アナログチャンネルの選局期間中において、バックエンドＩＣ４０およびフロントエンドＩＣ３０から上記発振によって発せられていたノイズを一切発生させなくすることができ、アナログ復調回路２０やメインＩＣ５０が同ノイズの影響を受けることも無くなり、アナログ放送信号に対する復調性能やアナログ放送信号を受信しての映像・音声の出力性能が向上する。
【００４３】
また、バックエンドＩＣ４０およびフロントエンドＩＣ３０自体の駆動を停止させてノイズの発生を禁止するものであるから、ノイズ源となる上記各ＩＣやノイズの影響を受けやすいアナログ復調回路２０等をシールド部材で遮蔽したり、両者を物理的に引き離したりする必要が無くなる。その結果テレビジョン１００製造にかかる部品点数を抑えて製造コストを低減することができ、かつ、基板上の部品レイアウトの単純化および基板の小型化を進めることができる。
【００４４】
さらに、バックエンドＩＣ４０およびフロントエンドＩＣ３０の駆動を停止・再開する場合、各ＩＣに対しての電源電圧の供給を停止・再開するのではなく、各ＩＣのクロックを停止・再開させる。従って、上記電源電圧の停止・再開に要する別回路を備える必要がなく、上記リセット端子を用いた容易な構成にてデジタル復調部の駆動を停止・再開することができる。また、電源電圧の供給を停止・再開する場合には、電源電圧の立ち上がりに一定の時間を要するためデジタル復調部の駆動の停止・再開にも一定の時間がかかるが、本考案では電源電圧の供給は維持されクロックを停止・再開するだけであるため、デジタル復調部の駆動停止・再開の切替を瞬時に実行することができる。
【図面の簡単な説明】
【００４５】
【図１】本考案にかかるテレビジョンの概略構成を示したブロック図。
【図２】デジタル復調部のオン・オフ切替処理の内容を示したフローチャート。
【図３】駆動停止処理の詳細を示したフローチャート。
【図４】駆動再開処理の詳細を示したフローチャート。
【符号の説明】
【００４６】
１０…デジタル・アナログ共用チューナ
２０…アナログ復調回路
３０…フロントエンドＩＣ
３１，４１…リセット端子
４０…バックエンドＩＣ
５０…メインＩＣ
６０…ディスプレイ
７０…ＩＩＣバス
８０…シリアルバス
１００…テレビジョン
【図１】
0003119101.tif 000003
【図２】
0003119101.tif 000004
【図３】
0003119101.tif 000005
【図４】
0003119101.tif 000006